(57)【要約】      （修正有）【課題】ウォーターサーバー本体が無くても利用可能な簡易ウォーターサーバーを提供する。【解決手段】本発明の簡易ウォーターサーバー１は、飲料用液体の入ったボトル３から、ウォーターサーバー本体を用いないで、飲料用液体を利用する簡易ウォーターサーバー１であって、前記ボトル３を収容する段ボール箱、飲料用液体の出口となるキャップ１２を有する前記ボトル３、および前記キャップ１２に取り付ける蛇口４からなり、前記段ボール箱には、斜めに２分割する切断線が設けられ、前記切断線によって前記段ボール箱を上部と下部６に分割し、前記下部６に前記上部を入れて前記ボトル３を載せる台とし、前記ボトル３のキャップ１２に前記蛇口４を取り付け、前記ボトル３を前記上部によって設けた台に載せて前記段ボール箱の前記下部６内に配置することにより、利用可能な状態となる。【選択図】図１
2013043695.tif 000002
【特許請求の範囲】
【請求項１】
飲料用液体の入ったボトルから、ウォーターサーバー本体を用いないで、飲料用液体を利用する簡易ウォーターサーバーであって、
前記ボトルを収容する段ボール箱、飲料用液体の出口となるキャップを有する前記ボトル、および前記キャップに取り付ける蛇口からなり、
前記段ボール箱には、斜めに２分割する切断線が設けられ、前記切断線によって前記段ボール箱を上部と下部に分割し、前記下部に前記上部を入れて前記ボトルを載せる台とし、前記ボトルのキャップに前記蛇口を取り付け、前記ボトルを前記上部によって設けた台に載せて前記段ボール箱の前記下部内に配置することを特徴とする簡易ウォーターサーバー。
【発明の詳細な説明】
【技術分野】
【０００１】
本発明は、ウォーターサーバー本体が無くてもボトル内の水を利用できる簡易ウォーターサーバーに関する。
【背景技術】
【０００２】
従来のウォーターサーバーは、ボトルに飲料用液体、例えば飲料水を入れて、ウォーターサーバーの利用者に配布し、利用者は飲料水の入ったボトルをウォーターサーバーの上部にセットする。そして、水を飲む時にウォーターサーバーのスイッチを押すと、飲料水が供給されるという装置であった。このようなものとしては、特許文献１に記載されているものがある。
【先行技術文献】
【特許文献】
【０００３】
【特許文献１】特開２００７−２１０６６７号公報
【発明の概要】
【発明が解決しようとする課題】
【０００４】
しかしながら、ウォーターサーバーは、ウォーターサーバー本体にボトルをセットして利用するものであり、ウォーターサーバー本体が無ければ、ボトル内の飲料用液体、例えば水を直ぐに利用することはできない。そのため、ウォーターサーバー本体が故障したりすると、ボトル内の水を簡単に利用できない。もしボトル内の水を飲もうとするならば、ボトルが大きくて重いので直接コップ等にボトル内の水を入れるのは難しいので、ボトルよりも小さな別の容器に移し替えなければ水を簡単に利用することができないと言う問題があった。
【０００５】
また、水等を緊急的に大量に供給する場合や、屋外で大量に水等を使用する場合は、ペットボトルよりも量の多いウォーターサーバー用のボトルは便利であるが、この場合もやはりウォーターサーバー本体が無ければ簡単に利用できないと言う問題があった。そして、震災や災害時には電気が使えない場合も多いが、電気が無ければウォーターサーバー本体が使用できないと言う問題もある。また、災害地にはボトルを供給することはできても、ウォーターサーバー本体を供給するのは容易でない。
【０００６】
そこで、本発明は前記問題を解決するために、ウォーターサーバー本体が無くても利用可能な簡易ウォーターサーバーを提供することを目的とする。
【課題を解決するための手段】
【０００７】
本発明の簡易ウォーターサーバーは、飲料用液体の入ったボトルから、ウォーターサーバー本体を用いないで、飲料用液体を利用する簡易ウォーターサーバーであって、前記ボトルを収容する段ボール箱、飲料用液体の出口となるキャップを有する前記ボトル、および前記キャップに取り付ける蛇口からなり、前記段ボール箱には、斜めに２分割する切断線が設けられ、前記切断線によって前記段ボール箱を上部と下部に分割し、前記下部に前記上部を入れて前記ボトルを載せる台とし、前記ボトルのキャップに前記蛇口を取り付け、前記ボトルを前記上部によって設けた台に載せて前記段ボール箱の前記下部内に配置することを特徴とする。
【発明の効果】
【０００８】
本発明の簡易ウォーターサーバーは、飲料用液体の入ったボトルから、ウォーターサーバー本体を用いないで、飲料用液体を利用する簡易ウォーターサーバーであって、前記ボトルを収容する段ボール箱、飲料用液体の出口となるキャップを有する前記ボトル、および前記キャップに取り付ける蛇口からなり、前記段ボール箱には、斜めに２分割する切断線が設けられ、前記切断線によって前記段ボール箱を上部と下部に分割し、前記下部に前記上部を入れて前記ボトルを載せる台とし、前記ボトルのキャップに前記蛇口を取り付け、前記ボトルを前記上部によって設けた台に載せて前記段ボール箱の前記下部内に配置することにより、ウォーターサーバー本体が無くても、ボトル内の飲料用液体を蛇口を開けるだけで簡単に利用することが可能となる。
【図面の簡単な説明】
【０００９】
【図１】本発明の簡易ウォーターサーバーの斜視図である。
【図２】段ボール箱の斜視図であり、（ａ）が段ボール箱全体の斜視図、（ｂ）が上部と下部に分割した状態の斜視図、（ｃ）が下部の中に上部をセットした状態の斜視図である。
【図３】ボトルの斜視図である。
【発明を実施するための形態】
【００１０】
本発明を、図を用いて以下に詳細に説明する。図１が本発明の簡易ウォーターサーバー１の斜視図、図２が段ボール箱２の斜視図、図３が飲料用液体が入ったボトル３の斜視図である。
【００１１】
本発明の簡易ウォーターサーバー１は、段ボール箱２、飲料用液体の入った、ここでは水の入ったボトル３、および前記ボトル３に取り付ける蛇口４から構成される。前記段ボール２に前記ボトル３が収容されて運搬、供給、あるいは販売される。
【００１２】
前記段ボール２は斜めに切断して上部５と下部６に２分割する。前記段ボール箱２を簡単に切断するために、前記段ボール箱２には、図２（ａ）に示すように、切断線７が設けられている。前記切断線７は切り取り易さを考慮して上下２列で形成されている。前記切断線７は前記段ボール箱２の正面８には水平に設けられ、側面９には正面８から背面１０に向かって斜め上方に設けられ、背面１０には上端部に設けられており、前記正面８の中央付近では２段の前記切断線７を接続する縦方向の切断線が設けられている。
【００１３】
このように設けられた前記切断線７に沿って切り取って切断するが、前記正面８の中央に２段の切断線７を接続する縦方向の切断線があるので、そこを押してやると、前記切断線７が中央から左右へと簡単に切断されて、前記段ボール箱２は、図２（ｂ）に示すように、上部５と下部６に容易に２分割することができる。前記切断線７は２段に限定するものではなく、通常の１段としてもよい。また、前記切断線７として、直線だけでなく曲線等を用いることも可能である。
【００１４】
分割されてできた前記上部５は、図２（ｃ）に示すように、前後を入れ替えて前記下部６の中に入れて、前記下部６の底部に山を設けるように配置することで、前記ボトル３を載せる台の働きをする。
【００１５】
前記ボトル３は容量は例えば１２Ｌで、図３に示すように、円筒形の口部１１が設けられており、前記口部１１はキャップ１２によって閉じられている。 前記キャップ１２の中央には弁構造が用いられており、前記蛇口４が取り付けられると弁が開き、前記キャップ１２を通じて水が流れる構造となっている。前記蛇口４は前記キャップ１２とねじ係合、嵌合等を用いて取り付けられ、前記蛇口４のコックを開けると前記ボトル３の口部１１、前記キャプ１２を通じて水を出すことができる。これにより、前記ボトル３内の水を簡単に利用できる。
【００１６】
前記ボトル３は前記段ボール箱２に収容された状態で利用者に供給される。利用者は前記ボトル３を前記段ボール箱２から取り出した後、図２（ｂ）に示すように、前記切断線７に沿って前記段ボール箱２を上部５と下部６の２つに分割する。そして、図２（ｃ）に示すように、前記上部５を前記下部６の中に入れ、前記ボトル３を載せる台を形成する。
【００１７】
このようにして前記段ボール箱２の分割および組立が完了したら、前記ボトル３のキャップ１２に前記蛇口４を取り付ける。そして、前記蛇口４を取り付けたボトル３を、前記段ボール箱２の下部６の中に入れ前記上部５によって形成した台の上に載せる。このようにして、前記ボトル３を前記段ボール箱２にセットすると、図１に示すように、前記簡易ウォーターサーバー１の組み立てが完了する。
【００１８】
前記簡易ウォーターサーバー１は、前記ボトル３が前記上部５の上に載せられた状態でセットされており、安定した状態となっているが、この時、前記ボトル３は水平ではなく、前記口部１１が設けられた面が下向きになるように傾斜した状態となっており、これにより、前記蛇口４のコックを開くと前記ボトル３内の水が出やすくなっている。前記蛇口４の形態は、図に示すものに限定するものではなく、前記キャップ１２に取り付け可能で、開閉可能な構造であればよい。
【００１９】
前記簡易ウォーターサーバー１は、このように、前記蛇口４だけを用意しておけば、水の入ったボトル３と、前記ボトル３が収容されていた段ボール箱２を利用して、ウォーターサーバー本体が無くても、コックを開けるだけで前記ボトル３内の水を簡単に利用することができるので、どんな場所でも簡単に飲料用液体を利用することができる。また、前記簡易ウォーターサーバー１は電気も不要なので、電気の無い屋外等でも簡単に利用することが可能となる。また、前記段ボール箱２は従来であれば廃棄されるだけのものであったが、本願発明ではサーバー本体の代用品として使用することができる。
【００２０】
前記ボトル３内の水が少なくなった場合は、前記簡易ウォーターサーバー１を前に傾けることで、水を出やすくすることができる。水が少なくなると前記ボトル３も軽くなるので、簡単に傾けることができる。
【００２１】
前記蛇口４を前記ボトル３と共に前記段ボール箱２に入れて供給することも可能であり、また、前記蛇口４は取り外し可能であるので、前記蛇口４を別途に用意しておいて繰り返し使用することもできる。
【符号の説明】
【００２２】
１    簡易ウォーターサーバー
２    段ボール箱
３    ボトル
４    蛇口
５    上部
６    下部
７    切断線
８    正面
９    側面
１０  背面
１１  口部
１２  キャップ
【図１】
2013043695.tif 000003
【図２】
2013043695.tif 000004
【図３】
2013043695.tif 000005